(57)【要約】      （修正有）【課題】時と所とに係わらずに「ゴミ拾い」行為を、自然な行為としてできるようにするため、常時身に付けて携行することができるようにする摘上具を提供する。【解決手段】携帯に適する最小長から、拾い上げ操作に支障のない範囲内の最大長にまで達するようにした多段式伸縮自在構造とし、先端に夫々掴み部２を有する一対の操作用ロッドの根元部１３，１３間を弾発部材３で連結する一方、片一方の操作用ロッドの中間辺り適所に取り付けたストッパー４は、他方の操作用ロッド所定箇所に嵌め外し自在に嵌着すると、それら一対の操作用ロッドの姿勢を平行状姿勢にしたまま仮固定させてしまうことができるようした携帯用摘上具である。【選択図】図１
0003147565.tif 000002
【実用新案登録請求の範囲】
【請求項１】
携帯に適する１４ないし１６ｃｍの範囲内の最小長から、拾い上げ操作に支障のない４０ないし５０ｃｍの範囲内の最大長にまで達するようにした多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔において、対象落下物を挟着するに支障を来すことのない間隔となるように配したまま、その姿勢を保持し得るようにした弾発部材でそれら根元部間を連結する一方、片一方の操作用ロッドの中間辺り適所に取り付けたストッパーは、その取着部から所定間隔を置いて形成する掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとしたことを特徴とする携帯用摘上具。
【請求項２】
携帯に適する１４ないし１６ｃｍの範囲内の最小長から、拾い上げ操作に支障のない４０ないし５０ｃｍの範囲内の最大長にまで達するようにした多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔で５ないし７ｃｍとなるように配したまま、その姿勢を保持し得るようにした弾発部材でそれら根元部間を連結する一方、片一方の操作用ロッドの中間辺り適所に取り付けたストッパーは、その取着部から所定間隔を置いて形成する掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとしたことを特徴とする携帯用摘上具。
【請求項３】
携帯に適する１４ないし１６ｃｍの範囲内の最小長から、拾い上げ操作に支障のない４０ないし５０ｃｍの範囲内の最大長にまで達するようにした多段式伸縮自在構造とし、先端に夫々掴み部が形成された一対の操作用ロッドを、平面配置上で、相互の根元部がわから各先端掴み部に掛けて拡開状とする拡開角度が８ないし１２度となるように配したまま、その姿勢を保持し得るようにした弾発部材でそれら根元部間を連結する一方、片一方の操作用ロッドの中間辺り適所に取り付けたストッパーは、その取着部から所定間隔を置いて形成する掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとしたことを特徴とする携帯用摘上具。
【請求項４】
携帯に適する１４ないし１６ｃｍの範囲内の最小長から、拾い上げ操作に支障のない４０ないし５０ｃｍの範囲内の最大長にまで達するよう、主鞘管内に径を順次暫減させた複数の従鞘管を収容していく多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔で５ないし７ｃｍとなるように配したまま、その姿勢を保持し得るようにした弾発部材でそれら根元部間を連結する一方、片一方の操作用ロッド主鞘管の中間辺り適所に取り付けたストッパーは、その取着部から所定間隔を置いて形成する掛止部の位置が、同掛止部を他方の操作用ロッド主鞘管所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとしたことを特徴とする携帯用摘上具。
【請求項５】
携帯に適する１４ないし１６ｃｍの範囲内の最小長から、拾い上げ操作に支障のない４０ないし５０ｃｍの範囲内の最大長にまで達するよう、主鞘管内に径を順次暫減させた複数の従鞘管を収容していく多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔で５ないし７ｃｍとなるように配したまま、その姿勢を保持し得るようにした弾発部材でそれら根元部間を連結する一方、片一方の操作用ロッド主鞘管の中間辺り適所に取り付けたストッパーは、その取着部から所定間隔を置いて形成する掛止部の位置が、同掛止部を他方の操作用ロッド主鞘管所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されると共に、少なくとも何れか一方の操作用ロッド主鞘管根元部から先端方向に向けてクリップが形成されてなるものとしたことを特徴とする携帯用摘上具。
【請求項６】
共に最小長に縮小した一対の操作用ロッドが、片一方の操作用ロッド主鞘管に取り付けたストッパーの掛止部を他方の操作用ロッド主鞘管所定箇所に嵌着させて平行状配置に仮固定させた状態にした上、それら両操作用ロッド先端がわから掴み部諸共に携帯用カバーを被冠状とした、請求項１ないし４何れか一記載の携帯用摘上具。
【考案の詳細な説明】
【技術分野】
【０００１】
この考案は、摘上具、即ちピンセットのように挟み込むことによって箸よりも安易、かつ軽い力で掴みあげられる道具に関するものであり、摘上具を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                          
【背景技術】
【０００２】
（着目点）
過剰投資や世界的な金融不安などから、経済動向に不安材料が山積していて将来の見通しに不透明感が強い昨今とはいえ、我が国の生活水準は、依然、世界でもトップクラスにランクインされる程に豊かな生活基盤が構築されていて、個々人の経済力や価値認識などに差はあるにしても、身の回りには確実に物資が氾濫しており、経済的な裏付けさえ得られれば何でも手にする可能性を秘める恵まれた時代に暮らし、この豊かさは環境整備にも反映され、津々浦々何処に行ってもそれなりの景観を実現し得ていて快適な日常生活を楽しむことができ、この時代に育つ子供達には、この状態を特別なものとする意識が湧いて来ないのは至極当然のこととしても、この状態を有り難い変遷と受け止め、逆戻りさせてはならじと衿を正さねばならない年代の人達までもが知らず知らずの中に馴化してしまい、有り余る物資を当然視する有様で無駄にすることが多くなり、ましてやそれらに付随して発生する大量のペットボトルや空き缶、ビニール袋といった空き容器から、包み紙やタバコの吸い殻、ペットの糞など、廃棄物の類いの取扱いには至って無頓着になりがちで、相も変わらず放置しても意に介さない輩が後を絶たない現実がある。
【０００３】
こうした「物を粗末にする。」、「はた迷惑を意に介さない。」などといった所謂倫理観は、授業や報道などの手段に依って啓蒙するだけでは実効が得難く、昔から、「子どもは親の背中を見て育つ」と言われてきたとおり、物資に関する感覚が麻痺しかかっている大人＝親が、かって物資に恵まれない時代の感覚を取り戻し、その正常な感覚で先ずは規範を示し、その「親の背中」、即ち「親の行動」において、子供達にとって尊敬に値する行動、「さすがお父さん、お母さん」と言われる行動を実践することこそが、社会生活における倫理観の回復の基礎をなすものと考え、そのような行動（行為）に繋がるものが沢山ある中、身近にあって簡単に取り組むことが可能で、しかも一番効果が期待できると思われる行動として「ゴミを拾うこと。」もその一つではないのかという結論に至った。
【０００４】
（従来の技術）
こうした観点から現状の「ゴミ拾い」に関する状況を見てみると、これまでにも、テレビやラジオなどの情報媒体により、「ゴミを捨てるな、街をきれいに」などといったキヤンぺ−ンが繰り広げられ、現に、学校、学級単位で活動しているなどの記事を目にするとおり、地域毎あるいは団体毎で行う春先の「一斉清掃」のようなゴミ拾い活動が定着しつつあり、それらが環境保護に一役買っているのも事実であるが、この「一斉清掃」は、特定の人たちによる、特定の場所の清掃でしかないこと、それも企業ＰＲの一環として実施される事例が多く、それはそれで構わないにしても、単発的で商業的な匂いを伴うことから倫理観の定着を図る意図からはその効果度がやや薄いこと、などといった問題を抱えているのも事実であり、日常的に、しかも目にしたときに何時でも「ゴミ拾い」を実行できるようにする習慣性の定着を図る体制作りにはほど遠いと言える。
【０００５】
「ゴミ拾い」の習慣性に一定の到達目標を置くとすれば、上記した行事としての「ゴミ拾い」を徹底することもさることながら、目にしたゴミを拾うという行為自体がその人にとって苦にならない、つまり「ゴミ」＝「汚れ物」、素手では掴めない。だから見て見ぬ振りをしてしまう、という実態の解消こそが極めて重要な要件であって、この要件は、誰もしていないことを率先、励行する気恥ずかしさから、つい手をこまねいてしまうという実態の払拭以上に重大視されて然るべきものというべきでありながら、確かに辺りを見渡しても、そのための用具などが、手軽に携行できる物として提供されている状況を確認することはできず、例えば、清掃行事に参加の折り、そのための用具として手渡される最も代表的な「摘上具」（「火鋏」、「火箸」あるいは「デレッキ」、「トング」の類い）として、携帯性まで考慮したものがあるのかどうかを検証してみるに、精々下記する特許文献１の（１）で取り上げてある「火箸」か、同（２）の「廃品分別回収用具」に提案されているもので、所謂「摘上具」としての構造、機能に係わるだけのもので、何等その携帯性に触れるものではなく、せめてもが同（３）の「トング」のように、摘まみ上げる対象によって先端がわの挟み持ち部が、その用途や趣向に応じて種々の形状や構造のものに取り替えられたり、利用者の握力や手の大きさに合わせて弾性力やサイズの異なるものに連結部を交換できるようにしたものが散見されるに過ぎない。
【０００６】
しかし、特許文献１の（１）および（２）に示されるものは、対象があくまで従来からの「摘上具」であることに何等変わりはなく、またその（３）のものが、挟み持ち部や弾性連結部を目的、用途に依って選択、交換可能にしてあり、その部分を分解したままで携行しようと思えばできなくもないものの、選択、交換という目的達成には、分解したままでも数種類のものを用意しておかざるを得ず、その部品点数を管理、まとめて携行しなければならない煩わしさに加え、携帯性を念頭に全く置いていないことからその把手部の構成は従前からの「摘上具」のそれと殆ど変わるところはなく、したがって、幾ら分解したままにしても、携行段階の全長は、当然の如くポケットなどに到底収まり切らないものでしかなくて携帯性については一切配慮を欠いており、結局、散見された何れもが、常時携行できるようにするという技術的思想について全く不知のものとなっている実情が判明したのである。                                                                                      
【特許文献１】（１）特開２００５−２３２８８５号公報    （２）実開平３−１２７５７４号公報    （３）登録実用新案第３１１７３７４号公報
【考案の開示】
【考案が解決しようとする課題】
【０００７】
（問題意識）
上述したとおり、社会生活における倫理観の回復に繋げる行為の代表として取り上げた「ゴミ拾い」行為の習慣性に欠くことができ摘上具は、常時携行可能としなければならないにも拘らず、従前までに提案のある各種摘上具は、その携帯性にまで配慮するものは見出せず、これだけ物資が有り余る時代に生活する者として、従前以上に社会生活の中の規範維持に努めなければならないとする倫理観形成の阻害要因の一つが、その倫理観形成のための手っ取り早い実践行動に繋がる筈の「ゴミ拾い」行為のための用具として、未だにその意に添うものが提供されて来なかったことにあるのではないのかと意識するに至ったものである。
【０００８】
（考案の目的）
そこで、この考案は、「いつでも、どこでも、誰でも、気軽に、誰からも強制されないで」ゴミ拾いを可能にするために、先ずはボールペン感覚で全く気に留めずに衣服や鞄に携行できる摘上具の必要性を痛感し、皆が携行することに依り、一人だと恥ずかしい、照れ臭いなどの思いに駆られてしまう「ゴミ拾い」行為を、子供達同士が一緒になって、あるいは友達や家族という単位の中で、自然な行為として「ゴミ拾い」ができるようにする摘上具の開発はできないものかとの判断から、逸速くその開発、研究に着手し、長期に渡る試行錯誤と幾多の試作、実験とを繰り返してきた結果、今回、遂に新規な構造の携帯用摘上具を実現化することに成功したものであり、以下では、図面に示すこの考案を代表する実施例と共に、その構成を詳述することとする。                                                                                  
【課題を解決するための手段】
【０００９】
（考案の構成）
図面に示すこの考案を代表する実施例からも明確に把握されるように、この考案の携帯用摘上具は、基本的に次のような構成から成り立っている。
即ち、携帯に適する１４ないし１６ｃｍの範囲内の最小長から、拾い上げ操作に支障のない４０ないし５０ｃｍの範囲内の最大長にまで達するようにした多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔において、対象落下物を挟着するに支障を来すことのない間隔となるように配したまま、その姿勢を保持し得るようにした弾発部材でそれら根元部間を連結する一方、片一方の操作用ロッドの中間辺り適所に取り付けたストッパーは、その掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとした構成を要旨とする携帯用摘上具である。
【００１０】
この基本的な構成からなる携帯用摘上具を、より具体的な構成によるものとして示すならば、携帯に適する１４ないし１６ｃｍの範囲内の最小長から、拾い上げ操作に支障のない４０ないし５０ｃｍの範囲内の最大長にまで達するようにした多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔で５ないし７ｃｍとなるように配したまま、その姿勢を保持し得るようにした弾発部材でそれら根元部間を連結する一方、片一方の操作用ロッドの中間辺り適所に取り付けたストッパーは、その掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとした構成からなる携帯用摘上具ということができる。
【００１１】
これを、換言すれば、携帯に適する１４ないし１６ｃｍの範囲内の最小長から、拾い上げ操作に支障のない４０ないし５０ｃｍの範囲内の最大長にまで達するようにした多段式伸縮自在構造とし、先端に夫々掴み部が形成された一対の操作用ロッドを、平面配置上で、相互の根元部がわから各先端掴み部に掛けて拡開状とする拡開角度が８ないし１２度となるように配したまま、その姿勢を保持し得るようにした弾発部材でそれら根元部間を連結する一方、片一方の操作用ロッドの中間辺り適所に取り付けたストッパーは、その掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されてなるものとした構成の携帯用摘上具となる。
【００１２】
更に具体的には、携帯に適する１４ないし１６ｃｍの範囲内の最小長から、拾い上げ操作に支障のない４０ないし５０ｃｍの範囲内の最大長にまで達するよう、主鞘管内に径を順次暫減させた複数の従鞘管を収容していく多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔で５ないし７ｃｍとなるように配したまま、その姿勢を保持し得るようにした弾発部材でそれら根元部間を連結する一方、片一方の操作用ロッド主鞘管の中間辺り適所に取り付けたストッパーは、その掛止部の位置が、同掛止部を他方の操作用ロッド主鞘管所定箇所に嵌め外し自在に嵌着すると、それら一対の操作用ロッドの姿勢を、元の拡開状から先端がわを狭めてなる平行状に移行したまま仮固定させてしまう箇所に規制して形成されてなるものとした構成からなる携帯用摘上具とすることができる。
【００１３】
そして、この基本的な構成の携帯用摘上具には、携帯に適する１４ないし１６ｃｍの範囲内の最小長から、拾い上げ操作に支障のない４０ないし５０ｃｍの範囲内の最大長にまで達するよう、主鞘管内に径を順次暫減させた複数の従鞘管を収容していく多段式伸縮自在構造とし、先端に夫々掴み部が形成された一対の操作用ロッドを、平面配置上で、何れも最大長としたままの各操作用ロッドが相互の根元部がわから各先端掴み部に掛けて拡開状としたときの両掴み部最先端間の離反間隔で５ないし７ｃｍとなるように配したまま、その姿勢を保持し得るようにした弾発部材でそれら根元部間を連結する一方、片一方の操作用ロッド主鞘管の中間辺り適所に取り付けたストッパーは、その掛止部の位置が、同掛止部を他方の操作用ロッド主鞘管所定箇所に嵌め外し自在に嵌着すると、それら一対の操作用ロッドの姿勢を、元の拡開状から先端がわを狭めてなる平行状に移行したまま仮固定させてしまう箇所に規制して形成されると共に、少なくとも何れか一方の操作用ロッド主鞘管根元部から先端方向に向けてクリップが形成されてなるものとした構成の携帯用摘上具が含まれている。                                                              
【考案の効果】
【００１４】
以上のとおりの構成からなるこの考案の携帯用摘上具によれば、従前までのものとは違い、上記したとおりの固有の特徴ある構成から、コンパクト化が極めて容易なものとなり、しかも複雑な機構を一切要せずして比較的安価に製造、提供可能なものとなり、誰でもがそれ程の負担もなく入手可能となる上、何よりも、この種摘上具としては未だ提案も提供も一切試みられたことのない、衣服のポケットなどといった極めて身近で気にすることのない箇所に、誰でもが携行するか、したことのあるボールペン感覚で気軽に携行することを可能にし、「いつでも、どこでも、誰でも、気軽に、誰からも強制されないで」ゴミ拾いを可能にするというこの考案の狙いを見事に達成し得ており、その結果、大人も何の気負いや気兼ねをすることなく「ゴミ拾い」行為を自然に行えるようになり、かっては親から教わっていて普通に持ち合わせていた倫理感を取り戻す一助に繋がると共に、その「親の背中を見て育つ」という諺どおり、子供達にとって尊敬に値する行動と写り、「さすがお父さん、お母さん」と言われる行動となって自然に子供達を次世代の倫理観溢れる社会生活へと誘う一因になるものと考えられる。
【００１５】
そして、この、たかが「ゴミ拾い」という単純行為の習慣化によって、波及的に次のとおりの効果が期待できるものと予想される。即ち、
１）  親子で共同作業を行うことになり、子供達から尊敬されるなど親子関係が一層緊      密になる。
２）  きれいな町内を目にすることになり、親子共々、爽やかな気持ちになる。
３）  良いことをしているという意識をもつことが子供達の自信に繋がる。
４）  隣近所の人達との会話が多くなり、精神的に和やかなって非行化を防げる。
５）  ゴミを拾う姿を見せることによってゴミ捨てをなし、そのことが倫理観全般に目      覚めさせる切っ掛け作りになる。
６）  子供の気持ちに余裕が生まれ、学校数育の目標とする「心の豊かさ」、「学力の      向上」にも繋がる。
７）  地域の活性化、ひいては日本全体ないし世界レベルの活性化にも繋がる。
【００１６】
特に、クリップが形成されてなるものでは、この考案の一番の技術的創作性である、携帯性に縁のなかった摘上具に、携帯性を可能ならしめる構成を付与し、さらにその機能の利便性を高めるという効果をもたらすことになり、しかも、サックまたはカバーに収めるようにしたものでは、様々な対象物を拾い上げるという機能を果たして汚れがちになる掴み部を含む先端部分だけでも保護するものとなり、これまでにも各種のものにケースを普通に採用されてきてはいるものの、それら従前までのものの殆どが、中に収めるものを保護する目的で採用になるのが一般的であるのに対し、携行する者のがわの汚れを保護して携行への習慣性に配慮しているというこの考案固有の効果に繋いでいるという秀れた特徴が発揮可能なものとなっている。                                                                                
【考案を実施するための最良の形態】
【００１７】
上記したとおりの構成からなるこの考案の実施に際し、その最良もしくは望ましい形態について説明を加えることにする。
一対の操作用ロッドは、この考案の携帯用摘上具における主要部を構成する部材で、携帯性に適していながら、身の回りに散在する落下物を拾い上げる際には的確に且つ楽な姿勢で操作することを可能にする機能を発揮するものであり、携帯に適する１４ないし１６ｃｍの範囲内、望ましくは１５ｃｍ程度の最小長から、拾い上げ操作に支障のない４０ないし５０ｃｍの範囲内、望ましくは４５ｃｍ程度の最大長にまで達するようにした多段式伸縮自在構造のもの、例えば携帯テレビ、ラジオに伸縮自在なアンテナとして採用されているロッドアンテナなどのように連結管同士の摩擦に依って所定長の姿勢を維持するようにしたものや、カメラ用三脚の伸縮自在とする脚部や伸縮高枝切り鋏の伸縮自在な主杆に採用される、外接管と対応内接管との間を、何れか一方に設けて固縛ピンを他方に設けたピン孔に嵌入、離脱自在とした機構で双方の接続長を調整、仮固定するようにしたものなどといった、
既に公知となっているあらゆる伸縮自在機構に依るものとして差し支えはないが、この考案の機構としは、後述する実施例にも取り上げてあるように、その目的とするものが、主に、一対の操作用ロッドの先端がわを互いに寄せ合って落下物を挟着する作用を期待する（その軸芯方向に掛かる力は少ない）ものであることから、機構的に簡便な前者に依るものとすれば足りるものである。
【００１８】
これら一対の操作用ロッドには、夫々の先端を、単に棒状のものとしただけでは落下物を確実に挟着、拾い上げる点で不安を残す虞れがあることから、それらを解消して確実な成果を保証するための掴み部が、それら操作用ロッドの最先端部分に一体形成したものとするか、あるいは別体のものとして先端に取着するようにしたものとし、前記した特許文献１（３）登録実用新案第３１１７３７４号公報記載のものと同じ目的達成に、対象落下物の拾い上げに都合の良いよう脱着自在になるようにし、挟着部分の形状・構造の違うもの数種類を選択的に交換、取着できるようにしたものとしても勿論差し支えはないが、携帯性を考慮するこの考案の目的からすれば必ずしも必要としておらず、寧ろ汚染した場合の洗浄目的や破損したときの交換目的など他の目的を含む様々な目的に応じ、その形成手段については適宜選択的に考慮すれば足りる。
なお、掴み部としての挟着機能を達成するための形状、構造には特に制約はなく、従来からの「火鋏」、「火箸」あるいは「デレッキ」、「トング」の類いにおける挟着部分に採用されている形状、構造、あるいはそれらから派生する挟着機能上都合の良い形状、構造のもの、あるいはそれら金属製のものを他の素材、例えばプラスチックやゴム、木竹材に置き換えたものなどとしての採用が可能である。
【００１９】
弾発部材は、上記構成とした掴み部付きとした一対の操作用ロッドを、平面配置上において、相互の根元部がわから各先端掴み部に掛けて拡開状とする拡開角度が８ないし１２度程度の角度に配した状態（当然、相互の掴み部は、挟着に適した向きとなるように配した状態）で、そのままの姿勢を保持し得るよう規制して連結し、先端、掴み部間が狭まる方向、広がる方向何れの方向に力を加えた場合でも、元の角度の配置角度に自然に復帰し得るものとする機能を果たし得る弾性素材および形状、例え金属製やプラスチック製、ＦＲＰ製、木竹材、それらの組合せに依るものの、板材や棒状材などを、後述の実施例のように上を広げたＵ字状にしたり、またはＶ字状に成形してなるものとし、それら開放端部分に夫々操作用ロッドの根元部がわを一体化するようにして両操作用ロッドの基端がわ同士を連結するようにする外、塊状にしたゴムや弾性プラスチック等を両操作用ロッドの根元部がわ間に挟着状に一体化するようにしたものとして形成されるもので、それら弾性素材およびその形状によって保持する拡開角度８ないし１２度程度の角度は、それ程厳密な意味での角度ではなく、上記一対の操作用ロッドを最大長にした使用状態における掴み部間の離反間隔において、落下物を跨いで落下部を挟着状とするのに支障のない程度、実用上では５ないし７ｃｍ程度に広がっていることを条件とした角度となるようにしたものであり、対象落下部の種類に依っては、扱い上の問題さえなければ、それよりも狭くても広くても差し支えないことは言うまでもないことである。
【００２０】
ストッパーは、上記のように弾発部材に依ってその根元部が連結され、先端掴み部間が対象落下物の挟着操作に支障を来すことのない最適な離反間隔となるように形成した一対の操作用ロッドの中、片一方の操作用ロッドの中間辺り適所に取り付けられ、もう片方の操作用ロッドを引き寄せ状に仮固定する機能を果たすものであり、片一方の操作用ロッドの中間辺り適所に取り付くようにした取着部から所定間隔を置いて形成される掛止部の位置が、同掛止部を他方の操作用ロッド所定箇所に嵌め外し自在に嵌着すると、それら一対の操作用ロッドの姿勢を、元の拡開状から先端がわを狭めてなる平行状姿勢に移行したまま仮固定させてしまう箇所に規制して形成されるようにしなければならず、上記した弾発部材と一対の操作用ロッド各根元部との連結構造、即ち、相互の根元部離反間隔に依ってその間隔が決定され、後述の断面６字状のもののヒゲ状突出部所定箇所に形成され、操作用ロッドの軸心周りに同リング状部を回動自在にするものとする外、もう片方に向けた二股状の突出部を設けておき、同二股部に弾性的に嵌脱自在するようにしたもの、回転自在としたフック金具のフック部を掛止自在にしたもの、その他、拡開状となる一対の操作用ロッドを引き寄せ状に仮固定可能にし得るものであれば、特に構成には拘らず、どのようなものでも採用可能である。
【００２１】
クリップは、この考案の携帯用摘上具が、携帯性を目的にすることから、その携帯性の利便性に寄与するよう機能するもので、衣類やバッグなどのポケットその他への取り付け，取り外しが可能で使用に際しては直ぐに取り出して目的達成を容易にすると共に、いつでも所定の箇所へ確実に取り付け、携行を可能にして紛失をなくすようにし、その際、落下物を拾い上げて汚れたしまった掴み部で衣類等を汚してしまわないようにする目的を叶えるために、望ましくは、一対の操作用ロッドを、夫々最小長に縮めた状態にした上、上記ストッパーで両操作用ロッドを平行状に仮固定した状態で、両操作用ロッド先端がわから掴み部諸共に携帯用カバーまたはサックを被冠状にするようにしたものとするようにすべきである。
以下では、図面に示すこの考案を代表する実施例と共に、その構造について詳述することとする。                                                                                                            
【実施例１】
【００２２】
図１の平面図、図２の同側面図、図３の底面図には、この考案の構成を端的に示す代表的な事例によるもので、携行に適するよう一対の操作用ロッド１，１を共に最小長まで収縮してストッパー４を掛け、コンパクトな状態に収めた状態に依るものを示し、図６の平面図には、当該ストッパー４を解除して一対の操作用ロッド１，１が、その弾発部材３によって保証された拡開姿勢に復帰した状態としたものの、前記図１に対応する平面図を示してある。
【００２３】
この事例に依る携帯用摘上具は、その一対の操作用ロッド１，１として、携帯テレビやラジオのロッドアンテナとして繁用される伸縮構造に依るものと同じく、その径を暫減させて摺嵌状になるよう規制して組み合わせてなるもので、携帯に適する１５ｃｍの最小長から、拾い上げ操作に支障のない４５ｃｍの最大長にまで達するよう、主鞘管１１内に径を順次暫減させた複数の従鞘管１２，１２，……４本を収容していくようにした多段式伸縮自在構造のものとし、それら先端には夫々掴み部２が、止めねじ２１，２１によって取着、形成するようにしたものであり、携行するために全長も巾もそれように設計してある最もコンパクトな、図１ないし図３に示すとおりの状態となるよう両操作用ロッド１，１共に、主鞘管１１内に順次４本の従鞘管１２，１２，……を収容して実質主鞘管１１の長さに近い長さのものにまで縮小した図６の状態、即ちその弾発部材３によって保証された拡開姿勢の状態としてから、図４の斜視図に示すストッパー４の取着部４１を取り付けてある操作用ロッド１に対し、他方の操作用ロッド１を、当該弾発部材３の弾発力に逆らうように操作して両者の姿勢が平行状となるにした上、ストッパー４の掛止部４２を、図５の操作用ロッド１の軸線に直交する側断面図に示すとおり、ストッパー４を操作用ロッド１の軸線周り、図中矢印で示すよう回動操作して引き寄せた方の操作用ロッド１主鞘管１１に掛け、その平行状姿勢を仮固定するようにし、この状態で携行することとなるが、操作用ロッド１の根元部１３には、ビス５１に依って予めクリップ５を取り付け、固定してあることから、該クリップを衣服の胸ポケットなどに止めて携行し得るようにしたものとしてある。
【００２４】
こうして胸ポケットなどに常時携行して登校時あるいは通勤時に歩行するか、健康その他の目的で散歩したり、買い物に出掛けて歩行している際に、道路脇その他の箇所に落下物を見出して処分すべきと思い立ったときには、即座に上記した状態で携行しているこの考案の携帯用摘上具を胸など忍ばせていたところから取り出し、先ず、ストッパー４を解除して図６に示す状態に自然復帰させた上、各操作用ロッド１，１共、主鞘管１１からその先端方向に順次４本の従鞘管１２，１２，……を引き出し、予定した最大長まで伸ばした図７に示す状態にすると、この実施例に依るものの場合、先端掴み部２，２間の離反間隔Ｇが予め略１０ｃｍ、拡開角度θでは約１０度程度となるように設定してあることから、図中Ｄで示す紙くずを難無く跨ぐ姿勢とすることができ、後は従前からの「火鋏」、「火箸」あるいは「デレッキ」、「トング」の類いを操作する要領で紙くずＤを拾い上げて然るべき処分すればよく、何等大げさに振る舞うこと無く済ますことができ、処分が終われば、取り出したときと反対の手順を辿ることにより、図１ないし図３に示すとおりの携行に適した状態に復して携行可能となり、その後、何時、何処でも再び簡単に取り出して使用することができるものとなる。                                                                  
【実施例２】
【００２５】
上記実施例１における図１に対応する図８の同平面図、同図２に対応する図９の側面図に取り上げてある携帯用摘上具の事例は、同実施例１で説示した携帯用摘上具としての本体によって落下物Ｄの拾い上げに繰り返し使用する中で、その先端掴み部２，２を含む最先端の従鞘管１２が汚れが付着していたり、付着物は見えないまでも衛生的ではなくなることから、図１ないし図３に示すとおりの携行状態として何処かに忍ばせておく場合、辺りにそれら汚れた部分が接触してしまうことを防止し得るようにしたものの代表的な一実施例を示してある。
【００２６】
この実施例においては、携帯用摘上具としての本体自体として上記実施例１で取り上げた構造のものをそのまま採用しているが、勿論この考案の技術的思想に含まれるその他の構造による携帯用摘上具の本体についても対象となり得ることは当然であり、それら携帯用摘上具本体における、共に最小長に縮小した一対の操作用ロッドが、片一方の操作用ロッド主鞘管に取り付けたストッパーの掛止部を他方の操作用ロッド主鞘管所定箇所に嵌着させて平行状配置に仮固定させた状態にした上、それら両操作用ロッド先端がわから掴み部諸共に被冠状とするように形成してなる携帯用サック６を組み合わせてなる携帯用摘上具の一実施例である。
【００２７】
携帯用サック６は、両操作用ロッド先端がわに配してある掴み部２，２を飲み込むようにしての被冠状操作を可能とし、少なくとも最小長に縮小した状態、即ち略主鞘管１１の長さに匹敵し、それら一対を近接、平行状としてなる状態の両操作用ロッド先端がわから半分程度を覆い尽くせるだけの中空部を有するものに形成されていなければならず、硬質、軟質を問わないプラスチック製のものとするのが、その機能上（保護の外、例えば意匠面や成形、単価、感触、強度など）からも取扱い上（例えば、洗浄、馴染み具合など）からも有利となるが、ステンレスやアルミ等金属製のものや、皮革製、木製、布製、あるいはそれら素材を適宜組み合わせたものなどとすることも可能であり、携行段階では、各図二点鎖線状態に携帯用サック６を上記実施例１の携帯用摘上具本体に組み合わせてなるものを携帯用摘上具となし、使用段階に移行する場合には、当該携帯用サック６を、図中矢印方向に抜き去って、所謂、上記実施例１状態の携帯用摘上具本体としてしまうものである。                                                                                                    
【実施例３】
【００２８】
この実施例の携帯用摘上具は、上記実施例２と同じ目的を達成するようにしたものの更に他の事例であり、上記実施例２における携帯用サック６が、所謂、上記実施例１状態の携帯用摘上具本体としてしまった後、別体となって置き場に困ったり、別体故に紛失し兼ねないという課題を抱えていることに鑑み、その課題を解消し得るようにすべく、携帯用サック６に変えて携帯用カバー６を組み合わせるようにしたものの一実施例である。
【００２９】
実施例２と同じように、携帯用摘上具としての本体部分は、上記実施例１で取り上げた構造のものをそのまま採用するようにした事例であって、この場合も実施例２と同様にその部分の構成に限定されている訳ではなく、本体部分としてこの考案が包含する全てのものとの組合せを可能にしており、そして、実施例２の場合と異なる携帯用カバー６を組み合わせてなるこの実施例に依るものの平面図が図１０に、そして、その側面図が図１１に示してある。
【００３０】
それら各図からも明確に把握できるとおり、この実施例に依るものは、実施例２における携帯用サック６の構造のものにおいて、一方の側壁を除去して得られるような構造のものとなした上、その除去して開いた元の側壁部分から当該携帯用摘上具としての本体部分側面から嵌め込んでなる、図１０中に二点鎖線表示してある状態に該携帯用カバー６を組み合わせ、その状態で、除去してない側壁がわに近接している操作用ロッド１の主鞘管１１に回動支点を置くように止めネジ６１したものとすることにより、該携帯用カバー６が、携行時は勿論のこと、操作用ロッド１を最大長にして落下物を拾い上げ操作をしているときでも、常に本体に付属するようにしたものである。
【００３１】
この実施例のものでは、回動支点となる止めネジ６１箇所に度々外力が作用するものになることから、その強度上から携帯用カバー６を金属製のものとするのが望ましいといえるが、それら強度の問題が解消できる構成を付加する条件があれば、上記した実施例２における携帯用サック６同様に各種素材製のものとすることも勿論可能であり、こうして形成される携帯用摘上具を、図１０、１１に二点鎖線表示してある携帯用カバー６の状態で胸のポケットなどに忍ばせるときにも、その掴み部２，２を含む先端がわ、汚れている部分を携帯用カバー６で覆うことができ、衣類などに汚れを付着させてしまうような心配は無く、それを取り出して落下物Ｄを拾い上げるため、操作用ロッド１を最大長に伸展しようとするときには、図中に矢印で示すように、この携帯用カバー６を回動操作して実線表示のような状態に携帯用カバー６の姿勢を変えるようにすればよく、そして、そのままの状態で落下物Ｄを拾い上げるよう操作すればいいことから、実施例２のもののように、うっかり紛失させてしまう虞れは確実に回避できるものとなる。
【００３２】
（実施例の効果）
以上のような構成からなる各実施例の携帯用摘上具は、前記この考案の効果の項で記載の特徴に加え、丁度良いサイズに押さえて携行の利便性に適う構造のものにすることができる上、構造も至って簡潔なものとなって製造容易で単価を押さえることができるだけではなく、そのデザインにおいても洒落たものとなっており、特に携帯用サック６や携帯用カバー６を採用するようにしたものなどは、衛生面で敏感に反応する傾向があり、しかも、携帯する小物などのデザインにはかなりうるさい女学生にとっても容易に受入れられるものとなって広く学生の間でも受入れ易くなることから、学校教育における倫理教育の実践道具の一つとして採用するのに好都合のものとすることができるという秀れた効果を発揮することができる。
【００３３】
（結  び）
叙述の如く、この考案の携帯用摘上具は、その新規な構成によって所期の目的を遍く達成可能とするものであり、従前からの存在していた「火鋏」や「火箸」、あるいは「デレッキ」や「トング」の類いと同じ目的を有していながら、それらが携行可能な身の回り品としての配慮に欠けていて、辺りを汚すゴミなど落下物が有って取り除くべきと気が付いたとしてもそれを実行するための道具としては全く機能できなかったものを、時と所とを選ばずに気軽に実践することが可能なように常時携行可能なものとして実現し、しかも製造容易なものでそれ程の経費負担を掛けずに提供可能にしていることから、少なからぬ大人達が、倫理観を欠いて快適な環境の醸成や地域の活性化に全く無頓着となってしまっている現状の改善に一役買うことになり、そのことが「子どもは親の背中を見て育つ」の謂れどおり、ひいては子供達全体の健全な成長にも大いに寄与することとなり、広範に利用、普及が図られていくことになるものと予想される。                                                
【図面の簡単な説明】
【００３４】
図面は、この考案の携帯用摘上具の技術的思想を具現化した代表的な一実施例を示すものである。
【図１】実施例１としてのこの考案の携帯用摘上具を示す平面図である。
【図２】同側面図である。
【図３】同底面図である。
【図４】同実施例におけるストッパーを示す斜視図である。
【図５】同ストッパーの操作過程を示す側断面図である。
【図６】同ストッパーを解除した状態の前記図１に対応する平面図である。
【図７】この実施例の使用状態における携帯用摘上具を示す平面図である。
【図８】実施例２としてのこの考案の携帯用摘上具を示す平面図である。
【図９】同側面図である。
【図１０】実施例２としてのこの考案の携帯用摘上具を示す平面図である。
【図１１】同側面図である。
【符号の説明】
【００３５】
１      操作用ロッド
１１    同  主鞘管
１２    同  従鞘管
１３    同  根元部
２      掴み部
２１    同  止めねじ
２２    同  爪部
３      弾発部材
４      ストッパー
４１    同  取着部
４２    同  掛止部
５      クリップ
５１    同  ビス
６      携帯用サックまたは携帯用カバー
６１    同  止めネジ
Ｄ      落下物
Ｇ      離反間隔
θ      拡開角度                                                              
【図１】
0003147565.tif 000003
【図２】
0003147565.tif 000004
【図３】
0003147565.tif 000005
【図４】
0003147565.tif 000006
【図５】
0003147565.tif 000007
【図６】
0003147565.tif 000008
【図７】
0003147565.tif 000009
【図８】
0003147565.tif 000010
【図９】
0003147565.tif 000011
【図１０】
0003147565.tif 000012
【図１１】
0003147565.tif 000013